(57)【要約】  【課題】  スタンドにより本体背面が支持された薄型表示装置において、表示装置本体に接続されるケーブルをスタンドの背面で確実に保持する。  【解決手段】  略円柱状のスタンドにより本体背面を支持するととも前記スタンドを上下二分割構造にしかつ該分割部に垂直軸まわり回動を可能にする継手を備えた薄型表示装置において、前記スタンドの分割部の下側スタンドであるサポート４の上端を覆う樹脂製サポートカバー６と、本体部が断面略Ｃ字形状をして上端が前記サポートカバー６に一体接続されるとともにサポート４の背面に開口部を外側にして上下方向に取り付けられたクランパー７と、略板状をした本体の両側面に嵌合用溝が形成されて前記クランパー７の断面略Ｃ字形状部の開口部内側の端部に着脱自在に嵌合されるストッパー８とを備える。【選択図】  図１
2005196009.tif 000002
【特許請求の範囲】
【請求項１】
略円柱状のスタンドにより本体が支持された薄型表示装置において、
前記スタンドの背面に断面略Ｃ字形状のクランパーを開口部を後方にして上下方向に取り付けるとともに、該クランパーの開口部にストッパーを設けたことを特徴とする薄型表示装置。
【請求項２】
略円柱状のスタンドにより本体が支持された薄型表示装置において、
前記スタンドの背面に断面略Ｃ字形状のクランパーを開口部を後方にして上下方向に取り付けるとともに、該クランパーの開口部に、両側面に溝を形成したストッパーを着脱自在に嵌合したことを特徴とする薄型表示装置。
【請求項３】
略円柱状のスタンドにより本体を支持するととも前記スタンドを上下二分割構造にしかつ該分割部に垂直軸まわり回動を可能にする継手を備えた薄型表示装置において、
前記スタンドの分割部の下側スタンドの上端を覆う樹脂製カバーと、
本体部が断面略Ｃ字形状をして上端が前記樹脂製カバーに一体接続されるとともに下側スタンドの背面に開口部を後方にして上下方向に取り付けられたクランパーと、
略板状をした本体の両側面に嵌合用溝が形成されて前記クランパーの断面略Ｃ字形状部の開口部内側の端部に着脱自在に嵌合されるストッパーと、
を備えたことを特徴とする薄型表示装置。
【請求項４】
請求項３に記載の薄型表示装置において、
前記クランパーの開口部の間隔を上端よりも下端が狭くなるテーパー形状に形成したことを特徴とする薄型表示装置。
【請求項５】
請求項１乃至４のいずれかに記載の薄型表示装置において、
前記スタンドの断面形状を左右方向を長径とする楕円形としたことを特徴とする薄型表示装置。
【請求項６】
請求項１乃至５のいずれかに記載の薄型表示装置において、
前記スタンドの上端に本体を前後方向に回動可能に支持する継手を設けたことを特徴とする薄型表示装置。
【発明の詳細な説明】
【技術分野】
【０００１】
本発明は、液晶テレビ等の薄型表示装置に関し、詳しくは、スタンドにより本体背面が支持されるとともにスタンドの背面にケーブルが保持される薄型表示装置に関する。
【背景技術】
【０００２】
従来の液晶テレビのスタンドは、図７のように構成されている。図７では、図示を省略した液晶テレビが、枠状に形成されたハンドル１にビスにより取り付けられ、ハンドル１の下端が前後方向の回動を可能にする継手を介して、ジョイント３に連結されている。ジョイント３の下端は断面楕円形をしており、垂直軸まわりの回動を可能にする継手を介してサポート４の上端に連結されている。サポート４は、その断面がジョイント３と同形の楕円形からなる楕円柱状に構成され、下端がベース５に固定されている。サポート４の上端には、樹脂製のサポートカバー６０が被せられて、楕円形のジョイント３が回動したときサポート４の上端の切り口部が、直接露出することを防いでいる。ところで、液晶テレビでは、背面に電源線、アンテナ線をはじめとして、各種ケーブルが接続され、それらを合計すると１０本に達することもある。通常それらのケーブルは、特許文献１の図２６に示されるように、一箇所が欠けたリング状のクランプ３２により、スタンドに固定されている。
【特許文献１】特開平８−２６１３９２号公報、図２６
【発明の開示】
【発明が解決しようとする課題】
【０００３】
しかしながら、特許文献１の図２６のように、リング状のクランプ３２でケーブルを把持する構造にすると、図７のように、サポート４の上端でジョイント３側の液晶テレビが回動する場合は、把持されているケーブルの上側が回動に伴い左右に動き、クランプ３２の開口部からケーブルの一部が抜け出たり、ケーブルが末広状に広がってサポート４の両側から飛び出て、前方にいるテレビの視聴者に見えたりして体裁が悪かった。そこで本発明は、スタンドにより本体背面が支持された薄型表示装置において、表示装置本体に接続されるケーブルをスタンドの背面で確実に保持することを目的とした。
【課題を解決するための手段】
【０００４】
上記課題を解決するために、本発明は、略円柱状のスタンドにより本体が支持された薄型表示装置において、前記スタンドの背面に断面略Ｃ字形状のクランパーを開口部を後方にして上下方向に取り付けるとともに、該クランパーの開口部にストッパーを設けたことを特徴とする。
また、本発明は、略円柱状のスタンドにより本体が支持された薄型表示装置において、  前記スタンドの背面に断面略Ｃ字形状のクランパーを開口部を後方にして上下方向に取り付けるとともに、該クランパーの開口部に、両側面に溝を形成したストッパーを着脱自在に嵌合したことを特徴とする。
詳しくは、略円柱状のスタンドにより本体を支持するととも前記スタンドを上下二分割構造にしかつ該分割部に垂直軸まわり回動を可能にする継手を備えた薄型表示装置において、前記スタンドの分割部の下側スタンドの上端を覆う樹脂製カバーと、本体部が断面略Ｃ字形状をして上端が前記樹脂製カバーに一体接続されるとともに下側スタンドの背面に開口部を後方にして上下方向に取り付けられたクランパーと、略板状をした本体の両側面に嵌合用溝が形成されて前記クランパーの断面略Ｃ字形状部の開口部内側の端部に着脱自在に嵌合されるストッパーとを備えたことを特徴とする。
ここで、前記クランパーの開口部の間隔を上端よりも下端が狭くなるテーパー形状に形成することが好ましい。
また、前記スタンドの断面形状を左右方向を長径とする楕円形とすることが可能である。 
さらには、前記スタンドの上端に本体を前後方向に回動可能に支持する継手を設けたことも可能である。
【発明の効果】
【０００５】
以上述べたように本発明によれば、略円柱状のスタンドにより本体背面が支持された薄型表示装置において、前記スタンドの背面に断面略Ｃ字形状のクランパーを開口部を外側にして上下方向に取り付けるとともに、該クランパーの開口部に、両側面に溝を形成したストッパーを着脱自在に嵌合したことで、ストッパーを取り外した状態で、薄型表示装置に接続されるケーブルをクランパー内に挿入してから再びストッパーを装着することができる。その結果、薄型表示装置の使用中に、ケーブルが外れてスタンドの両脇に広がり薄型表示装置の前面側から外れたケーブルが視認されて見苦しいといった事態が解消される。また、クランパーを、下側スタンドの上端を覆う樹脂製カバーと一体に成型すると、部品点数が削減されてその分、組立工数や分解時の工数が低減される。また、クランパーを回転機構部分に近接させて設けることで、薄型表示装置を回転させた場合にもケーブルのクランプ状態が大きく乱れる事が無い。更に、クランパーをできる限りスタンド部の長さに近づけることで、前方の広い範囲からの美観を維持することが可能となる。
【発明を実施するための最良の形態】
【０００６】
以下、図に基づいて本発明の実施形態を説明する。
図１は薄型表示装置であるところの液晶テレビを支持するスタンド部分を示す斜視図であり、図２および図３は図１の分解斜視図である。これらの図において、１は枠状に形成されたハンドルであり、図示を省略した液晶テレビがハンドル１にビスにより取り付けられる。ハンドル１の下端は、前後方向の回動を可能にする継手１ａを介して、上側のスタンドであるところのジョイント３に連結されている。ジョイント３の下端は断面楕円形をしており、垂直軸まわりの回動を可能にする継手３ａを介して、下側のスタンドであるところのサポート４の上端に連結されている。
【０００７】
サポート４は、その断面がジョイント３と同形の楕円形からなる楕円柱状に構成され、下端がベース５に固定されている。サポート４の上端には、樹脂製のサポートカバー６が被せられて、楕円形のジョイント３が回動したときサポート４の上端の切り口部が、直接露出することを防いでいる。このサポートカバー６の背面側端部には、断面略Ｃ字形状をしたクランパー７が一体に接続されている。このクランパー７のサポート４との当接部は、サポート４の表面の形状に適合した曲面に形成されている。クランパー７のサポート４との当接面にはビス孔が形成されており、クランパー７はビスによりサポート４に固定されている。
【０００８】
クランパー７の開口部には、ストッパー８が上方向から着脱自在に装着されている。クランパー７の開口部の間隔は、上から下に行くに従い次第に狭くなるように、テーパーが形成されており、ストッパー８を上から挿着して下方へ押し下げるに従いきつくなり、ストッパー８がクランパー７に固定される。このストッパー８は、液晶テレビに各種ケーブルを接続するときに上方へ抜き取られて、そのクランパー７の開口部から接続された全てのケーブル（図示せず）が挿入される。次に、抜き取ったストッパー８を再びクランパー７に装着して下方へ押し込み固定する。これで、液晶テレビに接続されたケーブルは、全てクランパー７内に収納されて、サポート４の背面に隠れることになり、前方にいる液晶テレビの視聴者の目に触れることがなくなる。
【０００９】
図４はサポートカバー６およびクランパー７の外観を示す斜視図である。サポートカバー６およびクランパー７は、樹脂からなり一体成型により作成される。サポートカバー６の部分は、サポート４の上端面の形状と同じく楕円形に形成され外周部が下方に折曲された形状をして、サポート４の上端面の角を覆う。サポートカバー６の中心には、略四角形の孔６ａが形成されて、ジョイント３とサポート４を回動自在に連結するピン状の継手３ａ部分が挿入される。孔６ａの両外側にはビス孔６ｂ，６ｃが形成されており、ビスが螺着されてサポートカバー６がサポート４に固定される。
【００１０】
サポートカバー６の後端にはクランパー７が一体に形成されている。クランパー７は
サポート４の背面に当接する本体部分７ａが、サポート４の背面と略同じ曲面に形成され、サポート４とクランパー７が面接触するように構成されている。本体部分７ａの両側が断面Ｌ字状に後方内側に折曲され、その先端部７ｂ，７ｃがなす隙間にストッパー８が装着されることになる。先端７ｂ，７ｃの間隔は、上端から下方に行くに従い次第に狭くなるテーパーが形成されており、ストッパー８が下に押し込まれることでクランパー７にきつく嵌合される。本体部分７ａの下部中央には、ビス孔７ｄが形成されており、ビスが螺着されてクランパー７がサポート４に固定される。
【００１１】
図５はストッパー８の外観を示す平面図であり、図６はストッパー８の外観を示す斜視図である。ストッパー８は両端が半円形をした板状の本体部８ａと、その両側面の裏側に断面が半円形をした溝８ｂ，８ｃが突設されている。この溝８ｂ，８ｃが、クランパー７の先端７ｂ，７ｃに摺動自在に嵌合される。なお、本実施形態においては組立て性を考慮してサポートカバー６とクランパー７が一体成形されたものとして説明したが、サポートカバー６とクランパー７を別々の部材で構成することも当然可能であり、またストッパー８やクランパー７の形状に関しても、ストッパー８とクランパー７の嵌合や、ストッパーが扉状にクランパー７に形成されたものも含め、両者によりケーブルを保持することが可能な形状であれば、前記形状に限定されるものではない。更に、クランパー７の長さを可能な限りスタンドの長さに近づけることで、ケーブルの乱れが少なく、前方から広い視野範囲で美観を保つ事が可能になる。
【産業上の利用可能性】
【００１２】
本発明は、液晶テレビに利用される以外には、同様にケーブルが接続されるＤＶＤテレビにも利用可能である。
【図面の簡単な説明】
【００１３】
【図１】薄型表示装置を支持するスタンド部分を示す斜視図である。
【図２】図１の分解斜視図である。
【図３】図１の分解斜視図である。
【図４】サポートカバーおよびクランパーの外観を示す斜視図である。
【図５】ストッパーの外観を示す平面図である。
【図６】ストッパーの外観を示す斜視図である。
【図７】従来例を示す斜視図である。
【符号の説明】
【００１４】
１  ハンドル
１ａ  継手
３  ジョイント
３ａ  継手
４  サポート
５  ベース
６  サポートカバー
６ａ  孔
６ｂ，６ｃ  ビス孔
７  クランパー
７ａ  本体部分
７ｂ，７ｃ  先端
７ｄ  ビス孔
８  ストッパー
８ａ  本体部
８ｂ，８ｃ  溝
【図１】
2005196009.tif 000003
【図２】
2005196009.tif 000004
【図３】
2005196009.tif 000005
【図４】
2005196009.tif 000006
【図５】
2005196009.tif 000007
【図６】
2005196009.tif 000008
【図７】
2005196009.tif 000009